(57)【要約】【課題】リング意匠が目立ちすぎるのを抑制して、重要情報を含む表示意匠の視認性を向上させると共に、メリハリ感のある表示を可能にする計器を提供する。【解決手段】表示意匠及びリング意匠を共に光源２３を用いて照明する計器１において、光源２３から発せられてリング意匠１６に与えられる光の量を減じるために、文字板１１の裏面に重着されて光源２３からの光を拡散して文字板裏面に与える拡散板２０から文字板１１の裏面とは反対方向に延設されて、光源２３に起因する光を弱めて透過させる半透明の半透過壁２０１と、光源２３から発せられてリング意匠１６に与えられる光の量を減じるために、ケース１９から文字板１１の裏面に向けて該裏面には接触しない程度に延設されて、光源２３に起因する光を所定方向に反射させる反射壁１９１を有する。【選択図】図２
2006284526.tif 000002
【特許請求の範囲】
【請求項１】
所定の表示意匠を周回するようにリング意匠が形成された文字板と、
前記文字板の裏面側において該文字板から離間して配置された光源と、を有し、前記表示意匠及び前記リング意匠を共に前記光源を用いて照明する計器において、
前記光源から発せられて前記リング意匠に与えられる光の量を減じるために、当該計器のケースから前記文字板の裏面に向けて該裏面には接触しない程度に延設されて、前記光源に起因する光を所定方向に反射させる反射壁、
を有することを特徴とする計器。
【請求項２】
所定の表示意匠を周回するようにリング意匠が形成された文字板と、
前記文字板の裏面側において該文字板から離間して配置された光源と、を有し、前記表示意匠及び前記リング意匠を共に前記光源を用いて照明する計器において、
前記光源から発せられて前記リング意匠に与えられる光の量を減じるために、前記文字板の裏面に重着されて前記光源からの光を拡散して前記文字板の裏面に与える拡散板から前記文字板の裏面とは反対方向に延設されて、前記光源に起因する光を弱めて透過させる半透明の半透過壁、
を有することを特徴とする計器。
【請求項３】
請求項２記載の計器において、
前記光源から発せられて前記リング意匠に与えられる光の量を減じるために、当該計器のケースから前記文字板の裏面に向けて該裏面には接触しない程度に延設されて、前記光源に起因する光を所定方向に反射させる反射壁、
を更に有することを特徴とする計器。
【発明の詳細な説明】
【技術分野】
【０００１】
本発明は、車両等に搭載される計器に関し、特に、所定の表示意匠を周回するようにリング意匠が形成された文字板と、文字板の裏面側において該文字板から離間して配置された光源と、を有し、表示意匠及びリング意匠を共通の光源を用いて照明するようになっている計器に関する。
【背景技術】
【０００２】
従来、車両等に搭載される計器においては、下記特許文献１に示されているように、速度やエンジン回転数を示す目盛りや数字等の表示意匠を周回するようにリング意匠が形成された文字板を有するものが知られている。図３は、この種の従来の計器の一部を示す正面図である。図４は、図３におけるＡＡ線断面図である。
【０００３】
図３に示すように、従来の計器１′は、例えば、車両等に搭載されるアナログ式の計器であり、ここでは、ギアポジション表示部付の水温計及び燃料計が一体化されたものを例示している。
【０００４】
図３及び図４において、略円板状の文字板１１には、水温や燃料残量を示す表示意匠１２、警報等を示す表示意匠１３、Ａ／Ｔ車のギアポジションを示す表示意匠１４が形成されている。また、これら各表示意匠１２、１３、１４を周回するように、円弧状のリング意匠１６も形成されている。文字板１１は、各表示意匠１２、１３、１４及びリング意匠１６を中抜きにして、例えば、黒をベース色とする印刷が施されている。リング意匠１６は、所定幅を有する円弧のリング状に形成されている。また、リング意匠１６を周回するように、リング１７が取り付けられている。リング１７の外側には、方向指示等を示す意匠１８も形成されている。
【０００５】
水温や燃料残量を示す表示意匠１２はそれぞれ、指針１５にて所定の目盛り位置が指示される。指針１５は、指針袴１５１とよばれる回転軸部が、基板２１上に配置されたムーブメント２２の回転軸２２１に挿通されている。また、文字板１１の裏面側から離間して、文字板１１を裏面側から照明するための光源２３が基板２１に搭載されて配置されている。この光源２３に起因する光は、表示意匠１２及びリング意匠１６を共に照明するものである。なお、１３Ｃは、意匠１３の光源を擁するランプケースを示す。
【０００６】
このような構成において、所定のトリガー信号に応答して、光源２３及び２４が点灯すると、光源２４からの出射光は指針１５の基端部に入って指針１５を光輝させる。また、光源２３からの出射光は、拡散板２０に入り文字板１１の裏面に与えられ、表示意匠１２及びリング意匠１６が照明される。
【０００７】
なお、この出願の発明に関連する先行技術文献情報としては次のものがある。
【特許文献１】特開２００３−１９４５９４号公報
【発明の開示】
【発明が解決しようとする課題】
【０００８】
ところで、上記表示意匠１２は、ドライバ等に認識されるべき重要情報であり、一方、リング意匠１６は装飾的な意味合いが強く、重要情報は含まれていない。しかしながら、上述のような構成の従来の計器によると、表示意匠１２及びリング意匠１６に対してほぼ同等に照明光が与えられる。したがって、表示意匠１２とリング意匠１６とが同程度の明るさで照明されるため、装飾的な意味合いが強いリング意匠１６の方が目立ってしまい、重要情報を含む表示意匠１２の注目度が相対的に低下する可能性もある。また、重要情報を含む表示意匠１２と装飾的なリング意匠１６とが同程度の明るさで照明されると、表示にメリハリ感もなくなってしまう。
【０００９】
よって本発明は、上述した現状に鑑み、リング意匠が目立ちすぎるのを抑制して、重要情報を含む表示意匠の視認性を向上させると共に、メリハリ感のある表示を可能にする計器を提供することを課題としている。
【課題を解決するための手段】
【００１０】
上記課題を解決するためになされた請求項１記載の計器は、所定の表示意匠を周回するようにリング意匠が形成された文字板と、前記文字板の裏面側において該文字板から離間して配置された光源と、を有し、前記表示意匠及び前記リング意匠を共に前記光源を用いて照明する計器において、前記光源から発せられて前記リング意匠に与えられる光の量を減じるために、当該計器のケースから前記文字板の裏面に向けて該裏面には接触しない程度に延設されて、前記光源に起因する光を所定方向に反射させる反射壁、を有することを特徴とする。
【００１１】
請求項１記載の発明によれば、当該計器のケースから文字板の裏面に向けて、該裏面には接触しない程度に反射壁が延設されている。この反射壁によって、光源に起因する光が所定方向に反射されて、最終的に、光源から発せられてリング意匠に与えられる光の量が減じられる。
【００１２】
上記課題を解決するためになされた請求項２記載の計器は、所定の表示意匠を周回するようにリング意匠が形成された文字板と、前記文字板の裏面側において該文字板から離間して配置された光源と、を有し、前記表示意匠及び前記リング意匠を共に前記光源を用いて照明する計器において、前記光源から発せられて前記リング意匠に与えられる光の量を減じるために、前記文字板の裏面に重着されて前記光源からの光を拡散して前記文字板の裏面に与える拡散板から前記文字板の裏面とは反対方向に延設されて、前記光源に起因する光を弱めて透過させる半透明の半透過壁、を有することを特徴とする。
【００１３】
請求項２記載の発明によれば、文字板の裏面に重着される拡散板から、文字板の裏面とは反対方向に半透明の半透過壁が延設されている。この半透過壁によって、光源に起因する光が弱められて、最終的に、光源から発せられてリング意匠に与えられる光の量が減じられる。
【００１４】
上記課題を解決するためになされた請求項３記載の計器は、請求項２記載の計器において、前記光源から発せられて前記リング意匠に与えられる光の量を減じるために、当該計器のケースから前記文字板の裏面に向けて該裏面には接触しない程度に延設されて、前記光源に起因する光を所定方向に反射させる反射壁、を更に有することを特徴とする。
【００１５】
請求項３記載の発明によれば、文字板の裏面に重着される拡散板から延設された半透過壁及びケースから延設された反射壁によって、最終的に、光源から発せられてリング意匠に与えられる光の量が相乗的に減じられる。
【発明の効果】
【００１６】
請求項１記載の発明によれば、当該計器のケースから文字板の裏面に向けて、該裏面には接触しない程度に反射壁が延設されている。この反射壁によって、光源に起因する光が所定方向に反射されて、最終的に、光源から発せられてリング意匠に与えられる光の量が減じられる。したがって、文字板上のリング意匠が必要以上に目立ちすぎることがなくなり、重要情報を含む表示意匠の視認性が向上する。また、明るめの表示意匠と暗めのリング意匠によって、メリハリ感のある表示も可能になる。
【００１７】
請求項２記載の発明によれば、文字板の裏面に重着される拡散板から、文字板の裏面とは反対方向に半透明の半透過壁が延設されている。この半透過壁によって、光源に起因する光が弱められて、最終的に、光源から発せられてリング意匠に与えられる光の量が減じられる。したがって、文字板上のリング意匠が必要以上に目立ちすぎることがなくなり、重要情報を含む表示意匠の視認性が向上する。また、明るめの表示意匠と暗めのリング意匠によって、メリハリ感のある表示も可能になる。
【００１８】
請求項３記載の発明によれば、文字板の裏面に重着される拡散板から延設された半透過壁及びケースから延設された反射壁によって、最終的に、光源から発せられてリング意匠に与えられる光の量が相乗的に減じられる。したがって、文字板上のリング意匠が必要以上に目立ちすぎることがなくなり、重要情報を含む表示意匠の視認性がより向上する。また、明るめの表示意匠と暗めのリング意匠によって、よりメリハリ感のある表示も可能になる。
【発明を実施するための最良の形態】
【００１９】
以下、本発明の実施の形態を図面に基づいて説明する。図１は、本発明の一実施形態に係る計器の一部を示す正面図である。図２は、図１におけるＡＡ線断面図である。
【００２０】
図１に示すように、この実施形態に係る計器１は、例えば、車両等に搭載されるアナログ式の計器であり、ここでは、ギアポジション表示部付の水温計及び燃料計が一体化されたものを例示している。
【００２１】
図１及び図２において、文字板１１は、例えば、透明生地のポリカーボネイト製シートであり、略円板状をしている。文字板１１には、水温や燃料残量を示す表示意匠１２、警報等を示す意匠１３、Ａ／Ｔ車のギアポジションを示す表示意匠１４が形成されている。また、これら各意匠１２、１３、１４を周回するように、円弧状のリング意匠１６も形成されている。
【００２２】
文字板１１は、各表示意匠１２、１３、１４及びリング意匠１６を中抜きにして、例えば、黒をベース色とする印刷が施されている。各表示意匠１２、１３、１４及びリング意匠１６は、薄い青色や赤色の印刷が施されていてもよい。リング意匠１６は、所定幅Ｗを有する円弧のリング状に形成されている。
【００２３】
また、リング意匠１６を周回するように、リング１７が取り付けられている。リング１７は、文字板１１とは別の枠体であり、その表面が所定色で蒸着処理が施されている。リング１７は、文字板１１よりも前方（ドライバに近い方）にやや突出して円弧のリング状になっている。なお、リング１７の外側には、方向指示等を示す意匠１８も形成されている。
【００２４】
水温や燃料残量を示す表示意匠１２はそれぞれ、指針１５にて所定の目盛り位置が指示される。指針１５は、指針袴１５１とよばれる回転軸部が、基板２１上に配置されたムーブメント２２の回転軸２２１に挿通されている。回転軸２２１は、水温や燃料残量を示す計測信号に応じた量だけ回転して、指針１５を計測信号に応じた角度だけ回転させる。これにより、指針は各表示意匠１２の所定目盛りを指示する。また、指針１５の先細り状の指示部の底面には、ホットスタンプ層が形成されており、光源２４からの光を受けて、指針１５はホットスタンプ層の色に基づく色調で光輝する。
【００２５】
また、文字板１１の裏面側から離間して、文字板１１を裏面側から照明するための光源２３が基板２１に搭載されて配置されている。この光源２３に起因する光（直接光、反射光）は、表示意匠１２及びリング意匠１６を共に照明するものである。なお、この光源２４及び上記光源２３は、周知のＬＥＤ（Light Emitting Diode；発光ダイオード）が用いられる。なお、１３Ｃは、意匠１３の光源を擁するランプケースを示す。
【００２６】
また、この計器１の樹脂製のケース１９から文字板１１の裏面に向けて該裏面には接触しない程度の高さの反射壁１９１が延設されている。反射壁１９１は、上からみると、図１に示すように、リング意匠１６の真下あたりに位置する円弧状に形成されている。反射壁１９１はケース１９に一体形成され、例えば、ケース１９と同様に白色である。この反射壁１９１は、光源２３に起因する光Ｒ１（直接光のみならず反射光も含む）を所定方向に反射させる。例えば、反射壁１９１は、図２に示すように、光源２３から出射されて直線的にリング意匠１６に向かう光Ｒ１を表示意匠１２側に反射させる。これにより、この反射壁１９１がない場合と比較して、リング意匠１６がより暗く、表示意匠１２がより明るく照明される。
【００２７】
また、文字板１１の裏面には、樹脂製で例えば白濁色の拡散板２０が重着されている。拡散板２０は、周知のように、光源からの光を拡散して文字板１１の裏面をできるだけ均等に照明するためのものである。このような拡散板２０から文字板１１の裏面とは反対方向に、すなわち、反射壁１９１とややずれて対抗するように半透過壁２０１が延設されている。半透過壁２０１は、上からみると、図１に示すように、リング意匠１６の真下のやや内側あたりに位置する円弧状に形成されている。半透過壁２０１は拡散板２０に一体形成され、例えば、拡散板２０と同様に白濁色である。この半透過壁２０１は、光源２３に起因する光Ｒ２（直接光のみならず反射光も含む）を弱めて透過させる。半透過壁２０１は、図２に示すように、光源２３から出射された光の方向は変化させずに、光量を弱めてリング意匠１６に与える。これにより、この半透過壁２０１がない場合と比較して、リング意匠１６がより暗く照明される。
【００２８】
このような構成において、所定のトリガー信号に応答して、光源２３及び２４が点灯すると、光源２４からの出射光は指針１５の基端部に入り、指針１５を上記ホットスタンプに応じた色で光輝させる。また、光源２３からの出射光は、拡散板２０に入り文字板１１の裏面に与えられる。これにより、拡散板２０を介して、表示意匠１２及びリング意匠１６が照明される。
【００２９】
また、光源２３からの出射光（反射光も含む）の一部は、上述したように、ケース１９から延設された反射壁１９１及び拡散板２０から延設された半透過壁２０１により、弱められたり反対方向に反射されたりした後、リング意匠１６の裏に到達する。逆に、表示意匠１２に向かう光は、同程度か或いは反射壁１９１による反射光が合成されることによって強められて、表示意匠１２の裏に到達する。この結果、リング意匠１６は適度の暗さになり、逆に、表示意匠１２はより明るくなる。
【００３０】
以上説明したように、本発明の実施形態によれば、リング意匠１６が必要以上に目立ちすぎることがなくなり、重要情報を含む表示意匠の視認性が向上する。また、明るめの表示意匠と暗めのリング意匠によって、メリハリ感のある表示も可能になる。
【００３１】
なお、反射壁１９１又は拡散板２０のうちのいずれかが設けられていれば、上述の効果を得ることができるが、反射壁１９１及び拡散板２０の両方を設けることにより、相乗的な効果を得ることができる。
【図面の簡単な説明】
【００３２】
【図１】本発明の一実施形態に係る計器の一部を示す正面図である。
【図２】図１におけるＡＡ線断面図である。
【図３】この種の従来の計器の一部を示す正面図である。
【図４】図３におけるＡＡ線断面図である。
【符号の説明】
【００３３】
１  計器
１１  文字板
１２、１３、１４  表示意匠
１５  指針
１６  リング意匠
１７  リング
１９  ケース
２０  拡散板
２３  光源
１９１  反射壁
２０１  半透過壁
【図１】
2006284526.tif 000003
【図２】
2006284526.tif 000004
【図３】
2006284526.tif 000005
【図４】
2006284526.tif 000006